(57)【要約】【課題】杭の大径化による杭重量の増大に伴う玉掛けワイヤのワイヤ径の大径化に対応し、簡単な作業でワイヤを痛めることなく杭を確実に吊り上げることができる杭の吊り治具を提供すること。【解決手段】既製杭１を内挿する縮径可能な金属製の締付管２と、この締付管２を摺動可能に内挿し、吊りワイヤ４を係着する金属製の摺動管３とを備えており、締付管２を上部が漸次大径となるテーパ状に形成し、摺動管３の上部側への摺動により締付管２が内側に押圧されるようにする。【選択図】図１
2007002567.tif 000002
【特許請求の範囲】
【請求項１】
既製杭を内挿する縮径可能な締付管と、該締付管を摺動可能に内挿し、吊りワイヤを係着する摺動管とを備え、締付管を上部が漸次大径となるテーパ状に形成し、摺動管の上部側への摺動により締付管が内側に押圧されるようにしたことを特徴とする杭の吊り治具。
【請求項２】
締付管の内側に滑り防止部材を配設したことを特徴とする請求項１記載の杭の吊り治具。
【請求項３】
締付管と摺動管の間に滑り部材を配設したことを特徴とする請求項１又は２記載の杭の吊り治具。
【請求項４】
摺動管を締付管に沿うテーパ状に形成するとともに、締付管の上下端部に、摺動管の抜けを防止するフランジ部を形成したことを特徴とする請求項１、２又は３記載の杭の吊り治具。
【発明の詳細な説明】
【技術分野】
【０００１】
本発明は、杭の吊り治具に関し、特に、杭の大径化による杭重量の増大に伴う玉掛けワイヤのワイヤ径の大径化に対応し、簡単な作業でワイヤを痛めることなく杭を確実に吊り上げることができる杭の吊り治具に関するものである。
【背景技術】
【０００２】
建物の高層化に伴って杭の支持力が大きくなると、杭径が大きくなるとともに杭が３〜４本継（≒４５ｍ）となり、また、地震時の対応として上杭のＰＨＣ杭やＰＲＣ杭、ＳＣ杭は丸杭になってくる。
杭の重量も、φ１０００ではメーター当たり９２５ｋｇ／ｍ（ＰＨＣ杭）、１０４０ｋｇ／ｍ（ＳＣ杭）となり、杭長４５ｍ（３〜４本継）では４５ｔと非常に重くなってきている。
【０００３】
ところで、このように杭の重量が大きくなるに伴い（安全係数６倍）、玉掛けワイヤも従来の厚１６ｍｍから径３６ｍｍ又は径３８ｍｍと太くなってきている（安全係数６倍）。
玉掛けワイヤの径が大きくなると、杭を吊るときに、玉掛けワイヤを杭に胴巻きする作業がワイヤが太くて取り扱いがしずらく時間がかかる。
また、玉掛けワイヤが太くなるとワイヤ自体の金額が高くなるが、使用頻度によって絞り込む回数が多くなると、玉掛けワイヤの傷み（キンク、著しい型崩れ、素線切れ１０％公証径７％減）が発生し、取り替え費用の施工費に対するウエイトが高くなる。
【発明の開示】
【発明が解決しようとする課題】
【０００４】
本発明は、上記従来の杭の吊り治具が有する問題点に鑑み、杭の大径化による杭重量の増大に伴う玉掛けワイヤのワイヤ径の大径化に対応し、簡単な作業でワイヤを痛めることなく杭を確実に吊り上げることができる杭の吊り治具を提供することを目的とする。
【課題を解決するための手段】
【０００５】
上記目的を達成するため、本発明の杭の吊り治具は、既製杭を内挿する縮径可能な締付管と、該締付管を摺動可能に内挿し、吊りワイヤを係着する摺動管とを備え、締付管を上部が漸次大径となるテーパ状に形成し、摺動管の上部側への摺動により締付管が内側に押圧されるようにしたことを特徴とする。
【０００６】
この場合において、締付管の内側に滑り防止部材を配設することができる。
【０００７】
また、締付管と摺動管の間に滑り部材を配設することができる。
【０００８】
また、摺動管を締付管に沿うテーパ状に形成するとともに、締付管の上下端部に、摺動管の抜けを防止するフランジ部を形成することができる。
【発明の効果】
【０００９】
本発明の杭の吊り治具によれば、既製杭を内挿する縮径可能な締付管と、該締付管を摺動可能に内挿し、吊りワイヤを係着する摺動管とを備え、締付管を上部が漸次大径となるテーパ状に形成し、摺動管の上部側への摺動により締付管が内側に押圧されるようにしたことから、杭を締付管に内挿して摺動管を吊りワイヤで引き上げると、摺動管の摺動により締付管が内側に押圧されて縮径し、杭を締め付けるように保持することができ、これにより、杭の重量やワイヤ径が増大しても、簡単な作業でしかもワイヤを痛めることなく杭を確実に吊り上げることができる。
【００１０】
また、締付管の内側に滑り防止部材を配設することにより、締付管による杭の保持を確実に行うことができる。
【００１１】
また、締付管と摺動管の間に滑り部材を配設することにより、摺動管の摺動を円滑に行って、締付管による杭の保持をより確実に行うことができる。
【００１２】
また、摺動管を締付管に沿うテーパ状に形成するとともに、締付管の上下端部に、摺動管の抜けを防止するフランジ部を形成することにより、摺動管による締付管の押圧を円滑に行うとともに、作業中やその前後における摺動管の締付管からの抜けを防止することができる。
【発明を実施するための最良の形態】
【００１３】
以下、本発明の杭の吊り治具の実施の形態を、図面に基づいて説明する。
【実施例１】
【００１４】
図１〜図６に、本発明の杭の吊り治具の一実施例を示す。
この杭の吊り治具は、既製杭１を内挿する縮径可能な金属製の締付管２と、この締付管２を摺動可能に内挿し、吊りワイヤ４を係着する金属製の摺動管３とを備えており、締付管２を上部が漸次大径となるテーパ状に形成し、摺動管３の上部側への摺動により締付管２が内側に押圧されるようにしている。
【００１５】
締付管２は、図３及び図４に示すように、基端側のヒンジ２１の穴部２３ａ’にピン２３ａを挿入することにより、開閉可能に枢着された２つの半裁筒体からなり、この半裁筒体の先端側に形成したヒンジ状の接合部２２の穴部２３ｂ’にピン２３ｂを挿入することにより筒体をなすようにしている。
また、図４（ａ）及び（ｃ）に示すように、半裁筒体の先端側に形成したヒンジ状の接合部２２には、若干の遊びが設けられており、摺動管３による周囲からの押圧力に対して縮径できるようになっている。
【００１６】
締付管２の上下端部には、摺動管３の抜けを防止するフランジ部２４ａ、２４ｂが形成されており、締付管２の内側には、滑り防止部材５が一体に設けられている。
滑り防止部材５は、内側が杭１の外周面に密着し、外側は上部が漸次大径となる逆円錐台形に形成されている。
この場合、滑り防止部材５の内側が杭１の外周面に密着できるように、締付管２の上下端部に形成したフランジ部２４ａ、２４ｂ、特に、上端部に形成したフランジ部２４ａの内側端より、滑り防止部材５が内側に突出するようにする。
この滑り防止部材５には、特に限定されるものではないが、積層用樹脂、防滑材及び補強材等からなる複合積層樹脂（ＦＲＰ）製のものや硬質のゴム製のものを用いることができ、特に、積層用樹脂としてイソフタル酸系不飽和ポリエステル樹脂、防滑材として粉末シリコン、補強材としてガラス繊維を使用し、ガラス繊維にイソフタル酸系不飽和ポリエステル樹脂を含浸することを複数層に亘って繰り返し、表面のガラス繊維に粉末シリコンを混入したイソフタル酸系不飽和ポリエステル樹脂を塗布した複合積層樹脂（ＦＲＰ）製のものを好適に用いることができる。
【００１７】
なお、この滑り防止部材５には、図７に示す変形実施例のように、周方向にワイヤ５１等の杭１の外周面との摩擦係数を増大させる材料を埋設することも可能である。
【００１８】
一方、摺動管３は、図３及び図５に示すように、締付管２よりも短尺で、締付管２に沿うテーパ状に形成されている。
また、摺動管３の内側には、フッ素樹脂材料などからなる滑り部材（図示省略）が配設されており、これにより、吊りワイヤ４を引き上げたときに、摺動管３が引き上げ方向に摺動し易いようになっている。なお、滑り部材は、締付管２の外側に配設することも可能である。
摺動管３は、分割された２つの半裁筒体からなり、各々の両端から外側に突設された耳部３１を備えている。摺動管３は、この耳部３１を合わせて、複数のハイテンションボルト３２で締着することにより、完全な筒体として一体化される。
耳部３１には吊り孔３３が形成されており、この吊り孔３３にはクレーンの吊りワイヤ４がフック等を介して係着される。
また、摺動管３には、杭の吊り治具を杭１に取り付ける際に、杭の吊り治具をクレーンによって吊り下げるための装着用吊り部３４を形成するようにしている。
【００１９】
次に、この杭の吊り治具の使用方法を説明する。
図１及び図２に示すように、杭１の上部に杭の吊り治具を取り付け、治具の摺動管３を吊りハンガー６と吊りワイヤ４を介してクレーン７にて吊り上げる。
そして、所定の杭ジョイント位置に運び、下杭と吊り込まれた杭１とを溶接工法や無溶接工法により接合する。
なお、このとき、先端部が二股になったカンザシ状の冶具（図示省略）を節杭の軸部を挟むように差し込み、杭の節部を支持することにより杭の落下を防止する。
杭の接合後、カンザシ状冶具を取り除き、下杭と中杭（上杭）を削孔内に挿入する。
杭の挿入後、カンザシ状冶具を再度差し込んで杭１を一時的に受け、摺動管３のボルト３２を緩めて、杭吊り冶具を杭１から取り外す。
【００２０】
かくして、この杭の吊り治具は、既製杭１を内挿する縮径可能な締付管２と、この締付管２を摺動可能に内挿し、吊りワイヤ４を係着する摺動管３とを備え、締付管２を上部が漸次大径となるテーパ状に形成し、摺動管３の上部側への摺動により締付管２が内側に押圧されるようにしたことから、図１及び図２に示すように、杭１を締付管２に内挿して摺動管３を吊りワイヤ４で引き上げると、図６に示すように、摺動管３の摺動により締付管２が内側に押圧されて縮径し、杭１を締め付けるように保持することができ、これにより、杭１の大径化による杭重量の増大に伴う玉掛けワイヤのワイヤ径の大径化しても、簡単な作業でしかもワイヤを痛めることなく杭１を確実に吊り上げることができる。
【００２１】
この場合、締付管２の内側に滑り防止部材５を配設するとともに、締付管２と摺動管３の間に滑り部材を配設することにより、摺動管３の摺動を円滑に行って締付管２の押圧を確実に行うとともに、締付管２による杭１の保持をより確実に行うことができる。
また、摺動管３を締付管２に沿うテーパ状に形成するとともに、締付管２の上下端部に、摺動管３の抜けを防止するフランジ部２４を形成することにより、摺動管３による締付管２の押圧を円滑に行うとともに、作業中やその前後における摺動管３の締付管２からの抜けを防止することができる。
【００２２】
以上、本発明の杭の吊り治具について、その実施例に基づいて説明したが、本発明は上記実施例に記載した構成に限定されるものではなく、その趣旨を逸脱しない範囲において適宜その構成を変更することができる。
【産業上の利用可能性】
【００２３】
本発明の杭の吊り治具は、杭１の大径化による杭重量の増大に伴う玉掛けワイヤのワイヤ径の大径化に対応し、簡単な作業でワイヤを痛めることなく杭を確実に吊り上げることができることから、例えば、杭径や杭長の大きな杭の吊り上げ作業の用途に好適に用いることができる。
【図面の簡単な説明】
【００２４】
【図１】本発明の杭の吊り治具の一実施例を示し、（ａ）は杭の吊り治具を杭に装着する状態を示す正面図、（ｂ）は杭の吊り治具によって杭の吊り上げた状態を示す正面図、（ｃ）は（ｂ）のＢ部の拡大図である。
【図２】同杭の吊り治具を示し、（ａ）は杭の吊り治具を杭に取り付けた状態を示す正面断面図、（ｂ）は摺動管を引き上げた状態を示す正面断面図である。
【図３】同杭の吊り治具を示し、（ａ）は平面断面図、（ｂ）は（ａ）のＡ−Ａ断面図である。
【図４】同杭の吊り治具の締付管を示し、（ａ）は平面断面図、（ｂ）はヒンジ部の斜視図、（ｃ）は接合部の斜視図である。
【図５】締付管の平面断面の説明図である。
【図６】摺動管の引き上げによる杭の締め付け状態を示し、（ａ）は平面断面図、（ｂ）は正面断面図である。
【図７】締付管の変形実施例を示す部分断面図である。
【符号の説明】
【００２５】
１    杭
２    締付管
２１  ヒンジ
２２  接合部
２３ａ  ピン
２３ｂ  ピン
２４ａ  フランジ部
２４ｂ  フランジ部
３    摺動管
３１  耳部
３２  ボルト
３３  吊り孔
３４  装着用吊り部
４    ワイヤ
５    滑り防止部材
５１  ワイヤ
６    吊りハンガー
７    クレーン
【図１】
2007002567.tif 000003
【図２】
2007002567.tif 000004
【図３】
2007002567.tif 000005
【図４】
2007002567.tif 000006
【図５】
2007002567.tif 000007
【図６】
2007002567.tif 000008
【図７】
2007002567.tif 000009